(57)【特許請求の範囲】
【請求項１】
マルチメディアデータのルーティング伝送用のシステムであって、該システムは、
第１のワイヤレスネットワークと、
前記第１のワイヤレスネットワークに接続されたモバイル機器を備え、該モバイル機器はデジタル映像音声マルチメディアファイルを前記第１のワイヤレスネットワークから受信し、さらに前記第１のワイヤレスネットワークは前記デジタル映像音声マルチメディアファイルを、前記第１のワイヤレスネットワークに提供された前記モバイル機器の性能情報に基づいて選択された第１のフォーマットで前記モバイル機器へ伝送し、さらに前記モバイル機器が前記デジタル映像音声マルチメディアファイルを前記第１のフォーマットから第２のフォーマットへと変換し、前記第１のフォーマット及び前記第２のフォーマットは異なるフォーマットであって、
前記システムはさらに前記モバイル機器に接続されたレンダリングデバイスを備え、該レンダリングデバイスは前記デジタル映像音声マルチメディアファイルをモバイル機器から受信し、さらに前記モバイル機器は前記デジタル映像音声マルチメディアファイルを第２のフォーマットでレンダリングデバイスへ伝送し、前記デジタル映像音声マルチメディアファイルは、前記デジタル映像音声マルチメディアファイルが前記第１のワイヤレスネットワークから前記モバイル機器へ伝送されるのと略同時に前記レンダリングデバイス上で利用され、
前記システムはさらにモバイル機器及び前記レンダリングデバイスに接続された第２のワイヤレスネットワークをさらに備え、前記モバイル機器は前記デジタル映像音声マルチメディアファイルを前記第１のワイヤレスネットワークを利用せず前記第２のワイヤレスネットワークを利用して前記レンダリングデバイスへ伝送し、
前記第２のワイヤレスネットワークは、前記モバイル機器及び前記レンダリングデバイス間の双方向通信に利用され、
前記レンダリングデバイスは前記レンダリングデバイスの性能情報を前記モバイル機器に提供し、前記レンダリングデバイスの前記性能情報は、前記レンダリングデバイスが前記デジタル映像音声マルチメディアファイルを処理する能力を示し、
前記第２のフォーマットは前記レンダリングデバイスの前記性能情報に基づいて決定されることを特徴とするシステム。
【請求項２】
前記モバイル機器によってもたらされたユーザインターフェースをさらに備え、該ユーザインターフェースによって前記デジタル映像音声マルチメディアファイルの選択が可能となり、さらに前記デジタル映像音声マルチメディアファイルは前記デジタル映像音声マルチメディアファイルの選択に応答して前記モバイル機器を経由して前記レンダリングデバイスへ伝送されることを特徴とする請求項１記載のシステム。
【請求項３】
前記モバイル機器内に配置された安全なハードウェアをさらに備え、該安全なハードウェアは前記モバイル機器が前記第１のネットワークから前記マルチメディアデータを受信する権限が与えられていることを照合することを特徴とする請求項１記載のシステム。
【請求項４】
前記レンダリングデバイスが前記モバイル機器に対して遠隔配置されていることを特徴とする請求項１記載のシステム。
【請求項５】
前記レンダリングデバイスであるゲーム機をさらに備え、前記ゲーム機は、前記デジタル映像音声マルチメディアファイルによってコード化されたビデオコンテンツ及びオーディオコンテンツを再生することにより、前記デジタル映像音声マルチメディアファイルを利用することを特徴とする請求項１記載のシステム。
【請求項６】
セットトップボックスに接続されたディスプレイ機器をさらに備え、前記モバイル機器から前記デジタル映像音声マルチメディアファイルを受信する前記レンダリングデバイスが前記セットトップボックスであり、さらに前記セットトップボックスは、前記ディスプレイ機器上で前記デジタル映像音声マルチメディアファイルによってコード化されたビデオコンテンツ及びオーディオコンテンツを再生することにより、前記デジタル映像音声マルチメディアファイルを利用することを特徴とする請求項１記載のシステム。
【請求項７】
前記第１のワイヤレスネットワークに接続されたオンラインメディアストアをさらに備え、前記オンラインメディアストアは、前記デジタル映像音声マルチメディアファイルを前記第１のワイヤレスネットワークを経由して前記モバイル機器に伝送することを特徴とする請求項１記載のシステム。
【請求項８】
前記レンダリングデバイスであるパーソナルコンピュータをさらに備え、前記デジタル映像音声マルチメディアファイルによってコード化されたビデオコンテンツ及びオーディオコンテンツを再生することにより、前記パーソナルコンピュータが前記デジタル映像音声マルチメディアファイルを利用することを特徴とする請求項１記載のシステム。
【発明の詳細な説明】
【技術分野】
【０００１】
本出願は２００７年８月２１日出願の米国仮特許出願第６０／９６５，７２１の利益を主張するものである。
【０００２】
本発明は一般にモバイルメディアルータ及びその使用方法に関する。より詳細には、本発明は、マルチメディアデータをレンダリングデバイスへルート選択して送信する（reroute）モバイルメディアルータ及びその使用方法に関する。レンダリングデバイスはマルチメディアデータのレンダリングを、例えば、マルチメディアデータによって符号化されたマルチメディアを生成すること、マルチメディアデータを映像音声の形態に変換すること及び／又はマルチメディアデータによって符号化されたマルチメディアをユーザが見る、聞く及び／又は利用することによって行うことができる。モバイルメディアルータは第１のワイヤレスネットワークからマルチメディアデータを受信して、マルチメディアデータを別のフォーマットにてルート選択して送信することができる。モバイルメディアルータはモバイルメディアルータ上のマルチメディアをレンダリングせずに、マルチメディアデータをルート選択して送信することができる。さらに、モバイルメディアルータはマルチメディアデータを、第２のワイヤレスネットワークを経由してレンダリングデバイスにルート選択して送信することができる。またさらに、モバイルメディアルータはマルチメディアデータの翻訳、再フォーマット及び／又は再パッケージを行って、レンダリングデバイス上のマルチメディアの利用が可能な形態にする。またさらに、モバイルメディアルータはマルチメディアデータをリアルタイムでルート選択して送信することができ、これにより、レンダリングデバイスはマルチメディアデータがモバイルメディアルータに受信されると、マルチメディアをレンダリングする。
【背景技術】
【０００３】
様々な周知のモバイル機器、例えば携帯電話、ＰＤＡ、専用の携帯テレビ受信機及び同様のデバイスは、デジタル映像音声放送信号を受信する。放送信号はこれらのデバイスにデジタル処理でエンコードされた映像音声コンテンツを配信する。携帯電話は広帯域端末として利用されると共に、様々な送信信号、例えば放送データ、マルチメディアデータ及び／又は他の形態のデータを受信する。
【０００４】
ユーザは第２のデバイス上の映像音声放送を利用することを望むことがある。モバイル機器は、映像音声放送信号からの映像音声コンテンツを完全な質で処理及び／又は表示する処理能力及び／又はディスプレイ解像度を有していない場合もある。第２のデバイスはモバイル機器と比較して、映像音声放送信号からの完全な質の映像音声コンテンツ及び／又はより優れた映像音声品質を提供することが可能である。
【０００５】
しかし、第２のデバイスは映像音声放送信号を受信することができない。例えば、第２のデバイスは映像音声放送信号の送信信号を直接受信する権限が与えられていない。さらなる例として、映像音声放送信号は、第２のデバイスが処理できない形態で送信される。このため、ユーザは映像音声放送信号をモバイル機器から第２のデバイスへ伝送することによって、映像音声放送信号をモバイル機器から第２のデバイスへルート選択して送信することを望むことがある。ユーザは第２のデバイスによって処理される形態で映像音声放送信号を送信することを望む。映像音声放送信号をルート選択して第２のデバイスへ送信することにより、ユーザは第２のデバイスの映像音声放送を利用することが可能になる。
【０００６】
ユーザは、映像音声放送信号を周知のモバイル機器から第２のデバイスへ送信することによって、映像音声放送信号を周知のモバイル機器から第２のデバイスへルート選択して送信することができない。周知のモバイル機器は映像音声放送信号を第２のデバイスへ送信することができない。さらに、周知のモバイル機器は映像音声放送信号を、第２のデバイスによって処理可能なフォーマットに再フォーマットすることができない。したがって、ユーザは第２のデバイス上の映像音声放送を利用することができない。モバイル機器は、映像音声コンテンツを完全な質で表示するのに必要な処理能力及び／又はディスプレイ解像度を有することができず、また映像音声放送は第２のデバイスで利用できないため、ユーザは映像音声放送を利用しないことを選択するか、或いは、映像音声放送をモバイル機器で不十分な品質水準で利用可能である。
【０００７】
例えば、ユーザは映像音声放送信号を周知の携帯電話で受信可能である。周知の携帯電話では、ユーザは映像音声放送信号を異なるデバイスへルート選択して送信できないため、ユーザは携帯電話で映像音声放送を利用するよう制限される。第２のデバイス、例えばセットトップボックス、すなわちテレビに接続し信号をテレビに表示されるコンテンツに変換するデバイスは、携帯電話と比較して優れた映像音声品質を提供可能である。しかし、周知の携帯電話によって、ユーザはマルチメディアをセットトップボックスへルート選択して送信できない。さらに、セットトップボックスはモバイル機器が受信した特定の映像音声放送信号を受信、処理及び／又は表示できない。したがって、ユーザは映像音声コンテンツを十分な品質水準で利用できない。
【０００８】
したがって、モバイルメディアルータ及びその使用方法が必要とされている。さらに、マルチメディアデータを第１のネットワークから受信して、マルチメディアデータをレンダリングせずに別のフォーマットでマルチメディアをルート選択して送信するモバイルメディアルータ及びその使用方法が必要とされている。またさらに、マルチメディアデータを第２のネットワークを介してレンダリングデバイスへルート選択して送信するモバイルメディアルータ及びその使用方法が必要とされている。またさらに、マルチメディアデータの翻訳、再フォーマット及び／又は再パッケージを行って、レンダリングデバイス上のマルチメディアの利用が可能な形態にするモバイルメディアルータ及びその使用方法が必要とされている。さらに、マルチメディアデータをリアルタイムでルート選択して送信することができ、これによりマルチメディアデータがモバイルメディアルータに受信されると、レンダリングデバイスがマルチメディアをレンダリングするモバイルメディアルータ及びその使用方法が必要とされている。
【発明の概要】
【発明が解決しようとする課題】
【０００９】
本発明は一般に、モバイルメディアルータとその使用方法に関する。より詳細には、本発明は、マルチメディアデータをレンダリングデバイスへルート選択して送信するモバイルメディアルータ及びその使用方法に関する。レンダリングデバイスはマルチメディアデータのレンダリングを、例えばマルチメディアデータによって符号化されたマルチメディアを生成すること、マルチメディアデータを映像音声の形態に変換すること、及び／又はマルチメディアデータによって符号化されたマルチメディアをユーザが見る、聞く及び／又は利用することによって行うことができる。モバイルメディアルータは第１のワイヤレスネットワークからマルチメディアデータを受信して、マルチメディアデータを別フォーマットにてルート選択して送信することができる。モバイルメディアルータはモバイルメディアルータ上のマルチメディアをレンダリングせずに、マルチメディアデータをルート選択して送信することができる。さらに、モバイルメディアルータはマルチメディアデータを、第２のワイヤレスネットワークを経由してレンダリングデバイスにルート選択して送信することができる。またさらに、モバイルメディアルータはマルチメディアデータの翻訳、再フォーマット及び／又は再パッケージを行って、レンダリングデバイス上のマルチメディアの利用が可能な形態にする。またさらに、モバイルメディアルータはマルチメディアデータをリアルタイムでルート選択して送信することができ、これにより、レンダリングデバイスはマルチメディアデータがモバイルメディアルータに受信されると、マルチメディアをレンダリングする。
【課題を解決するための手段】
【００１０】
本発明の実施形態において、マルチメディアデータのルーティング伝送用のシステムが提供される。このシステムは、第１のワイヤレスネットワークと、前記第１のワイヤレスネットワークに接続されたモバイル機器を有し、該モバイル機器はマルチメディアデータを前記第１のワイヤレスネットワークから受信し、さらに前記第１のワイヤレスネットワークは前記マルチメディアデータを第１のフォーマットで前記モバイル機器へ伝送し、前記システムはさらに前記モバイル機器に接続されたレンダリングデバイスを有し、該レンダリングデバイスは前記マルチメディアデータをモバイル機器から受信し、さらに前記モバイル機器は前記マルチメディアデータをレンダリングデバイスへ伝送し、前記マルチメディアデータは前記レンダリングデバイス上で利用される。
【００１１】
実施形態において、前記モバイル機器は前記マルチメディアデータを前記第１のフォーマットから第２のフォーマットへと変換し、また前記マルチメディアデータを前記第２のフォーマットで前記レンダリングデバイスへ伝送し、前記第１のフォーマット及び前記第２のフォーマットは異なるフォーマットである。
【００１２】
実施形態において、前記システムはモバイル機器及び前記レンダリングデバイスに接続された第２のワイヤレスネットワークを有し、前記モバイル機器は前記マルチメディアデータを前記第２のワイヤレスネットワークを利用して前記レンダリングデバイスへ伝送する。
【００１３】
実施形態において、前記システムは前記モバイル機器によってもたらされたユーザインターフェースを有し、該ユーザインターフェースによって前記マルチメディアデータの選択が可能となり、さらに前記マルチメディアデータは前記マルチメディアデータの選択に応答して前記モバイル機器を経由して前記レンダリングデバイスへ伝送される。
【００１４】
実施形態において、前記システムは前記モバイル機器内に配置された安全なハードウェアを有し、該安全なハードウェアは前記モバイル機器が前記第１のネットワークから前記マルチメディアデータを受信する権限が与えられていることを照合する。
【００１５】
実施形態において、前記レンダリングデバイスは前記モバイル機器に対して遠隔配置されている。
【００１６】
実施形態において、前記システムは前記モバイル機器内に記憶素子を有し、該記憶素子は前記マルチメディアデータを保存する。
【００１７】
実施形態において、前記システムは前記モバイル機器に接続されたディスプレイを有し、該ディスプレイは前記マルチメディアデータと関連する情報を提供する。
【００１８】
実施形態において、前記マルチメディアデータはデジタル音声映像のマルチメディアファイルである。
【００１９】
実施形態において、前記システムは前記第１のワイヤレスネットワークに接続されたコンテンツプロバイダをさらに備え、該コンテンツプロバイダは前記マルチメディアデータを前記モバイル機器へ前記第１のワイヤレスネットワークを経由して伝送する。
【００２０】
他の実施形態において、第１のワイヤレスネットワークからレンダリングデバイスへのマルチメディアデータのルーティング伝送方法が提供される。前記方法は、モバイル機器を前記第１のワイヤレスネットワークに接続する工程と、前記モバイル機器が前記第１のワイヤレスネットワークを利用して前記マルチメディアデータにアクセスする権限を与えられていることを検証する工程と、前記モバイル機器を前記レンダリングデバイスに接続する工程と、前記レンダリングデバイスの性能情報を前記モバイル機器に提供する工程と、前記マルチメディアデータを前記第１のワイヤレスネットワークから前記モバイル機器へ伝送する工程と、前記マルチメディアデータを前記第１のフォーマットから第２のフォーマットへ変換する工程と、前記マルチメディアデータを前記第２のフォーマットで前記モバイル機器から前記レンダリングデバイスへ伝送する工程を有し、ここで、前記レンダリングデバイスの前記性能情報は、前記レンダリングデバイスが前記マルチメディアデータを処理する能力を示し、前記第１のワイヤレスネットワークは前記マルチメディアデータを第１のフォーマットで前記モバイル機器へ伝送し、前記第１のフォーマットは前記第２のフォーマットと異なり、さらに前記モバイル機器は前記マルチメディアデータを前記第１のフォーマットから前記第２のフォーマットへ変換し、前記第２のフォーマットは前記レンダリングデバイスの前記性能情報に基づいて選択される。
【００２１】
実施形態において、前記方法は前記モバイル機器の性能情報を前記第１のワイヤレスネットワークへ提供する工程を有し、前記性能情報は前記モバイル機器の処理能力を示し、またさらに、前記マルチメディアデータの前記第１のフォーマットは前記モバイル機器の前記性能情報に基づいて選択される。
【００２２】
実施形態において、前記方法は前記マルチメディアデータの復号を行う工程を有し、前記モバイル機器は前記マルチメディアデータの復号を行い、さらに前記マルチメディアデータの前記復号は前記マルチメディアデータをデコードする。
【００２３】
実施形態において、前記方法は前記マルチメディアデータを前記レンダリングデバイス上で利用する工程を有し、前記マルチメディアデータは、該マルチメディアデータが前記第１のワイヤレスネットワークから前記モバイル機器へ伝送されるのと略同時に利用される。
【００２４】
実施形態において、前記マルチメディアデータは前記モバイル機器から前記レンダリングデバイスへ、前記マルチメディアデータを前記モバイル機器上で利用せずに伝送する。
【００２５】
実施形態において、前記方法は前記レンダリングデバイス上における前記マルチメディアデータの利用を制御する工程を有し、前記マルチメディアデータの前記利用は前記レンダリングデバイスへの入力によって制御される。
【００２６】
実施形態において、前記方法は前記レンダリングデバイス上における前記マルチメディアデータの利用を制御する工程を有し、前記マルチメディアデータの前記利用は前記モバイル機器への入力によって制御される。
【００２７】
他の実施形態において、マルチメディアデータをローカルデバイスから遠隔デバイスへ伝送する方法であって、前記ローカルデバイスは第１のワイヤレスネットワークに接続され、また前記遠隔デバイスは第２のワイヤレスネットワークに接続され、前記第１のワイヤレスネットワークはワイヤレスのローカルエリアネットワークであり、また前記第２のワイヤレスネットワークはワイヤレスの広域ネットワークである。前記方法は、モバイル機器を前記第１のワイヤレスネットワークに接続する工程と、前記モバイル機器の性能情報を前記第１のワイヤレスネットワークへもたらす工程と、前記遠隔デバイスの性能情報を前記モバイル機器へもたらす工程と、前記マルチメディアデータを前記ローカルデバイスから前記モバイル機器へ第１のワイヤレスネットワークを経由して伝送する工程と、前記マルチメディアデータを前記第１のフォーマットから第２のフォーマットへ変換する工程と、前記マルチメディアファイルを前記第２のフォーマットで前記モバイル機器から前記遠隔デバイスへ前記第２のネットワークを経由して伝送する工程を有し、ここで、前記性能情報は前記モバイル機器の処理能力を示し、前記遠隔デバイスの前記性能情報は前記遠隔デバイスが前記マルチメディアデータをレンダリングする能力を示し、前記ローカルデバイスは前記マルチメディアデータを第１のフォーマットで前記モバイル機器へ伝送し、またさらに前記マルチメディアデータの前記第１のフォーマットは前記モバイル機器の前記性能情報に基づいて選択され、前記第２のフォーマットは前記第１のフォーマットと異なり、前記モバイル機器は前記マルチメディアデータを前記第１のフォーマットから前記第２のフォーマットへ変換し、さらに前記第２のフォーマットは前記遠隔デバイスの前記性能情報に基づいて選択される。
【００２８】
実施形態において、前記方法は前記マルチメディアデータを前記モバイル機器上に保存する工程を有し、前記マルチメディアデータは、前記マルチメディアデータが前記モバイル機器上に保存された後、前記遠隔デバイスへ伝送される。
【００２９】
実施形態において、前記方法は前記マルチメディアデータを前記遠隔デバイス上で利用する工程を有し、前記マルチメディアデータは、前記マルチメディアデータが前記ローカルデバイスから前記モバイル機器へ伝送されるのと略同時に利用される。
【発明の効果】
【００３０】
したがって、本発明の利点は、モバイルメディアルータとその使用方法を提供することにある。
【００３１】
本発明の他の利点は、第１のワイヤレスネットワークからマルチメディアデータを受信して、マルチメディアをレンダリングすることなく、マルチメディアデータを別フォーマットにてルート選択して送信するモバイルメディアルータとその使用方法を提供することにある。
【００３２】
また、本発明の他の利点は、第２のワイヤレスネットワークを経由してレンダリングデバイスにルート選択して送信するモバイルメディアルータとその使用方法を提供することにある。
【００３３】
さらなる本発明の他の利点は、マルチメディアデータの翻訳、再フォーマット及び／又は再パッケージを行って、レンダリングデバイス上のマルチメディアの利用が可能な形態にするモバイルメディアルータとその使用方法を提供することにある。
【００３４】
さらに、本発明の利点は、マルチメディアデータをリアルタイムでルート選択して送信することにより、マルチメディアデータがモバイルメディアルータに受信されるとレンダリングデバイスがマルチメディアをレンダリングする放送受信機アクセサリを有するモバイルメディアルータとその使用方法を提供することにある。
【００３５】
またさらに、本発明の利点は近距離接続を利用してマルチメディアデータをレンダリングデバイスへ伝送するモバイルメディアルータとその使用方法を提供することにある。
【００３６】
さらに本発明の他の利点は、２又はそれ以上の異なるワイヤレスネットワークに接続するモバイルメディアルータとその使用方法を提供することにある。
【００３７】
さらに本発明の他の利点は、マルチメディアデータの解析、マルチメディアデータの音声及び画像サブストリームの復号、及び／又はデジタル著作権管理（DRM）及び関連する復号を実行するモバイルメディアルータとその使用方法を提供することにある。
【００３８】
さらに、本発明の利点は双方向のモバイルメディアルータとその使用方法を提供することにある。
【００３９】
本発明の追加的な特徴及び利点は、現在の好適な実施形態の詳細な記述及び図面に記載されると共に、それらから明らかなものとなる。
【図面の簡単な説明】
【００４０】
【図１】本発明の実施形態中のモバイルメディアルータのブラックボックスの図を説明する。
【図２】本発明の実施形態中のモバイルメディアルータの使用方法のフローチャートを説明する。
【図３】本発明の実施形態中のモバイルメディアルータの使用方法のフローチャートを説明する。
【発明を実施するための形態】
【００４１】
本発明は一般にモバイルメディアルータとその使用方法に関する。より詳細には、本発明は、マルチメディアデータをレンダリングデバイスへルート選択して送信するモバイルメディアルータ及びその使用方法に関する。レンダリングデバイスはマルチメディアデータのレンダリングを、例えば、マルチメディアデータによって符号化されたマルチメディアを生成すること、マルチメディアデータを映像音声の形態に変換すること及び／又はマルチメディアデータによって符号化されたマルチメディアをユーザが見る、聞く及び／又は利用することによって行うことができる。モバイルメディアルータは第１のワイヤレスネットワークからマルチメディアデータを受信して、マルチメディアデータを別フォーマットにてルート選択して送信することができる。モバイルメディアルータはモバイルメディアルータ上のマルチメディアをレンダリングせずに、マルチメディアデータをルート選択して送信することができる。さらに、モバイルメディアルータはマルチメディアデータを、第２のワイヤレスネットワークを経由してレンダリングデバイスにルート選択して送信することができる。またさらに、モバイルメディアルータはマルチメディアデータの翻訳、再フォーマット及び／又は再パッケージを行って、レンダリングデバイス上のマルチメディアの利用が可能な形態にする。またさらに、モバイルメディアルータはマルチメディアデータをリアルタイムでルート選択して送信することができ、これにより、レンダリングデバイスはマルチメディアデータがモバイルメディアルータに受信されると、マルチメディアをレンダリングする。
【００４２】
次に図面を参照する。ここで、同じ符号は同じ部分を指す。図１はシステム（１０）を説明し、システム（１０）はモバイルメディアルータ（１４）を有する。モバイルメディアルータ（１４）は第１のデータ通信ネットワーク（１８）（以下、「第１のネットワーク（１８）」とする）に接続される。モバイルメディアルータ（１４）はマルチメディアデータを受信し、マルチメディアデータは第１のネットワーク（１８）から伝送される。モバイルメディアルータ（１４）は例えばモバイル機器であることができ、モバイル機器とは例えばセルラー方式移動電話、携帯用情報端末（PDA）、４Ｇモバイルメディア機器、３Ｇモバイルメディア機器、２．５Ｇモバイルメディア機器、インターネットプロトコル（以下「ＩＰ」とする）ビデオセルラー方式電話、オールＩＰ電子機器、衛星ラジオ受信機、ポータブルデジタルオーディオプレイヤ、ポータブルデジタルビデオプレイヤ及び／又は同類のものである。モバイルメディアルータ（１４）は、マルチメディアデータを第１のネットワーク（１８）から受信する任意のモバイル機器であることができる。
【００４３】
モバイルメディアルータ（１４）はレセプタ（１５）を有し、レセプタ（１５）は第１のネットワーク（１８）に接続する及び／又は第１のネットワーク（１８）と通信する。レセプタ（１５）は例えば、アンテナ、センサ、ワイヤレスカード及び／又は同類のものである。レセプタ（１３）は通常の知識を有する者に周知のマルチメディアを受信する任意のデバイスであることができる。さらに、モバイルメディアルータ（１４）はデータ、例えばサブスクリプション情報、定格要求、第１のネットワーク（１８）によって伝送されたマルチメディアデータの量及び／又は同類のものである。モバイルメディアルータ（１４）はディスプレイ（４０）を有し、これはマルチメディアデータ、例えばマルチメディアデータのソース、チャンネル、放送局、放送場所及び／又は同類のものに関連する情報を表示する。モバイルメディアルータ（１４）は電力を供給するバッテリ（３４）を有する。また、バッテリ充電機構（図示せず）も提供される。
【００４４】
マルチメディアデータのマルチメディアコンテンツは例えばデジタル映像音声メディアファイル、例えば音声信号であって、例えば映像フレーム、映像音声ストリーム及び／又はフィード、音声ストリーム及び／又はフィード、映像ストリーム及び／又はフィード、楽曲、ラジオプログラム、オーディオブック及び／又は音声プログラム等である。さらに、デジタル映像音声メディアファイルは、例えばケーブルテレビ番組、衛星テレビ番組、視聴者制作番組、映画、ミュージックビデオ、アニメ作品、ビデオ番組、ビデオゲーム及び／又はサウンドトラック及び／又は映像音声作品のビデオトラック、演劇作品、映画音楽、オペラ及び／又は同類のものである。
【００４５】
第１のネットワーク（１８）は、例えばＩＰネットワーク、ワイヤレスネットワーク、広域ネットワーク、メトロポリタンエリアネットワーク、ページングネットワーク、公衆交換電話網及び／又は同類のものである。本発明は第１のネットワーク（１８）の特定のタイプ又は特定の実施形態に限定されるべきではない。当然のことながら、第１のネットワーク（１８）は、通常の知識を有するものに周知である通り、マルチメディアデータをモバイルメディアルータ（１４）に伝送可能なネットワークである。
【００４６】
コンテンツプロバイダ（２０）はモバイルメディアルータ（１４）に第１のネットワークによって接続される。コンテンツプロバイダ（２０）は例えば、コンテンツサービス、メディアストア（media store）、モバイルネットワークオペレータ、ケーブルテレビプロバイダ、地上デジタル放送プロバイダ、衛星テレビプロバイダ、衛星ラジオプロバイダ、インターネットラジオプロバイダ、ブロードバンドネットワークプロバイダ、ストリーミング音声及び／又はビデオプロバイダ、マルチメディアステーション、マルチメディアコンテンツライブラリ、メディアエクスチェンジプロバイダ（media exchange provider）及び／又はその同等物である。メディアステーションは例えば、テレビ局、ラジオ局、ストリーム配信されたラジオのソース、ストリーム配信されたビデオのソース、衛星ラジオ局及び／又はその同等物である。マルチメディアコンテンツライブラリはメディアコンテンツの提供元及び／又は配給業者であって、例えばメディアストア、ファイル共有ストア、オンラインメディア配給業者及び／又はその同等物である。本発明はコンテンツプロバイダ（２０）の特定の実施形態によって制限されるべきでない。コンテンツプロバイダ（２０）は通常の知識を有する者に周知の任意のコンテンツプロバイダである。
【００４７】
モバイルメディアルータ（１４）はコンテンツプロバイダ（２０）と性能情報をやりとりして、コンテンツフォーマット、音声及び映像コーデック、コンテンツ符号化パラメータ、及び／又はモバイルメディアルータ（１４）にサポートされる同様の性能を決定する。したがって、モバイルメディアルータ（１４）及びコンテンツプロバイダ（２０）間の通信は双方向である。モバイルメディアルータ（１４）はマルチメディアデータの複数の伝送、チャンネル及び／又は局を同時に受信し及び／又は受け入れる。マルチメディアデータはモバイルメディアルータ（１４）に標準化されたパケットのフォーマット、例えばリアルタイムデータ転送プロトコル（ＲＴＰ）等で伝送される。マルチメディアデータはモバイル放送規格、例えばDVB-H（Digital Video Broadcasting-Handheld）、DMB（Digital Media Broadcasting）、tdTV（IPWireless, Inc.の商標）、MediaFLO（Qualcomm,Inc.の商標）、OMA BCAST（Open Mobile Alliance, Inc.の商標）、WiMax（WiMAX Forum Corporationの商標）及び3GPPMutimedia Broadcast Multicast Service （“3GPP MBMS”）等である。コンテンツプロバイダ（２０）はモバイルメディアルータ（１４）に特異的なパーソナルメディアサービスである。このモバイルメディアルータ（１４）はその他のデバイスに対して複製を行わない。
【００４８】
モバイルメディアルータ（１４）上のユーザインターフェース（１７）、例えばボタン、タッチパッド、タッチスクリーン及び／又はトラックボール等により、ユーザがモバイルメディアルータ（１４）に入力をもたらすことが可能になる。ユーザインターフェース（１７）により、ユーザは利用可能なマルチメディアデータを閲覧すること、利用可能なマルチメディアデータの電子番組ガイドを閲覧すること、異なるデータ通信ネットワークを選択してアクセスすること、及び／又はモバイルメディアルータ（１４）によって第１のネットワーク（１８）から受信したマルチメディアデータを選択することが可能になる。
【００４９】
モバイルメディアルータ（１４）は第２のデータ通信ネットワーク（２８）（以下、「第２のネットワーク（２８）」とする）に接続される。モバイルメディアルータ（１４）はマルチメディア情報を第２のネットワーク（２８）を経由して伝送する。第２のネットワーク（２８）は短距離のネットワーク、例えばワイヤレスローカルエリアネットワーク、ワイヤレスユニバーサルシリアルバス（USB）接続、Wi-Fi（Wi-Fi Alliance Corporationの商標）ワイヤレス接続、及び／又はBluetooth（Bluetooth, Inc.の商標）ワイヤレス接続等である。本発明は第２のネットワーク（２８）の特定のタイプ或いは特定の実施形態に制限されるべきでない。第２のネットワーク（２８）は通常の知識を有する者に周知である通り、モバイルメディアルータ（１４）からのマルチメディアデータを伝送可能な任意のネットワークであることができる。
【００５０】
モバイルメディアルータ（１４）は第２のネットワーク（２８）を利用して第１のネットワーク（１８）から受信したマルチメディアデータを伝送する。また、モバイルメディアルータ（１４）はマルチメディアデータをレンダリングデバイス（３０）へ直接伝送する。モバイルメディアルータ（１４）はネットワークプロトコル、メディア及びパケットフォーマット及び／又はデジタル著作権管理（DRM）システムを別のコードに変換し、マルチメディアデータの伝送を第２のネットワーク（２８）を経由して行う。別のコードに変換されたマルチメディアデータはモバイルメディアルータ（１４）からレンダリングデバイス（３０）へ第２のネットワーク（２８）を経由して伝送される。したがって、モバイルメディアルータ（１４）はマルチメディアデータを第１のフォーマットで受信すると共にマルチメディアデータをレンダリングデバイス（３０）へ第２のフォーマットで伝送する。第１のフォーマットは第２のフォーマットと異なる。第１のフォーマット及び／又は第２のフォーマットは、モバイルメディアルータ（１４）及び／又はレンダリングデバイス（３０）の要求及び／又は能力に夫々基づく及び／又は対応する。
【００５１】
レンダリングデバイス（３０）は例えば、コンピュータ端末、パーソナルコンピュータ、ラップトップコンピュータ、メディアプレーヤ、ゲーム機、モバイル機器、セットトップボックス、及び／又は電子機器であって、マルチメディアの伝送、受信、処理、受け入れ及び／又は表示が可能である。セットトップボックスはディスプレイ（図示せず）に接続され、マルチメディアデータのマルチメディアコンテンツを視聴、利用及び／又は表示する。また、セットトップボックスは例えば、デジタルマルチメディア放送対応テレビ及び／又はその同等物である。レンダリングデバイス（３０）は、通常の知識を有する者に周知のマルチメディアコンテンツを伝送、受信、処理及び／又は表示することができる任意の端末である。
【００５２】
マルチメディアデータはデジタルトランスポートストリームを有する。デジタルトランスポートストリームは多重放送を放送する。多重放送は、単一のチャンネル上に２又はそれ以上の信号又はメッセージのストリームを同時に伝送することができる。多重放送は圧縮された音声及び／又は映像ビットストリーム、同期情報及びタイミング情報及び／又は番組情報を有する。モバイルメディアルータ（１４）は圧縮された音声ビットストリーム、圧縮された映像ビットストリーム、同期情報及びタイミング情報及び／又は番組情報をレンダリングデバイス（３０）へ提供する。レンダリングデバイス（３０）は性能情報をモバイルメディアルータ（１４）とやりとりし、コンテンツフォーマット、音声及び映像コーデック、コンテンツ符号化パラメータ及び／又はレンダリングデバイス（３０）にサポートされる同様の性能を決定する。したがって、モバイルメディアルータ（１４）及びレンダリングデバイス（３０）間の通信は双方向である。
【００５３】
モバイルメディアルータ（１４）はマルチメディアデータを調整、別のコードに変換（transcode）及び／又は変換（transform）し、レンダリングデバイス（３０）にサポートされる性能に適合される。レンダリングデバイス（３０）が変換せずにマルチメディアデータを受け入れ可能である場合、次にモバイルメディアルータ（１４）は別のコードに変換せずにコンテンツをレンダリングデバイス（３０）へ移動させる。
【００５４】
第２のネットワーク（２８）はDLNA（Digital Living Network Alliance Corporationの商標）ネットワークである。DLNAネットワークはモバイルメディアルータ（１４）及びレンダリングデバイス（３０）間の双方向通信に利用される。DLNAネットワークは、家庭用電子機器、パーソナルコンピュータ及び／又はモバイル機器間のネットワークとして機能する。DLNAネットワーク上のデバイスは自動的に自己設定を行うネットワーク特性を有し、例えばIPアドレス等がDLNAネットワーク上のその他のデバイスの存在及び／又は性能を発見することができ、及び／又はDLNAネットワーク上のその他のデバイスと通信することができる。DLNAネットワークはデジタル著作権管理（DRM）技術を有する。この技術によって、マルチメディアデータがDLNAネットワーク上の任意のデバイスへ伝送されることが可能となる。任意のデバイスとは例えばモバイルメディアルータ（１４）及び／又はレンダリングデバイス（３０）である。
【００５５】
マルチメディアデータは暗号化される。モバイルメディアルータ（１４）はマルチメディアデータの復号を実行する。モバイルメディアルータ（１４）は鍵管理システムを有し、これは映像音声コンテンツの復号に必要な鍵を保存するシステムである。モバイルメディアルータ（１４）は安全なハードウェア（３９）を有し、このハードウェア（３９）は鍵管理システムを含み、これにより復号を実行するのに必要ないくつか或いは全ての鍵への不正アクセスが防止される。安全なハードウェア（３９）はSIMカード、スマートカード、セキュアデジタル（SD）カード及び／又は通常の知識を有する者に周知のその他の安全なハードウェア要素である。本発明は安全なハードウェア（３９）の特定の実施形態に制限されるべきでない。
【００５６】
レンダリングデバイス（３０）によるマルチメディアデータのレンダリングは、モバイルメディアルータ（１４）によるマルチメディアデータの受信及び／又は別のコードへの変換と略同時に起こる。好適な実施形態において、別のコードへ変換されたマルチメディアデータはレンダリングデバイス（３０）へ伝達され、この時モバイルメディアルータ（１４）によってマルチメディアデータのレンダリングは行われない。レンダリングデバイス（３０）はマルチメディアデータのマルチメディアコンテンツを後に視聴するためにマルチメディアデータを保存する。また、マルチメディアデータは後にフォーマット及び／又はレンダリングデバイス（３０）へ伝送するためにモバイルメディアルータ（１４）上のローカルストレージ（３８）に入れられる。
【００５７】
モバイルメディアルータ（１４）及び／又はレンダリングデバイス（３０）へのユーザ入力は、レンダリングデバイス（３０）上のマルチメディアデータのマルチメディアコンテンツの利用を制御する。例えば、ユーザは新たなコンテンツを選択し、放送チャンネルを変え、視聴を中断し、視聴を終了し、及び／又はマルチメディアコンテンツの利用に影響するその他の変化を起こす。リアルタイムストリーミングプロトコル（RTSP）を利用すると、ユーザがマルチメディアデータのアクセス、伝送及び／又は利用を遠隔制御することが可能となる。
【００５８】
図２は本発明の実施形態におけるモバイルメディアルータの使用方法（１００）を一般的に説明する。工程（１０１）で示される通り、第１のネットワーク（１８）を経由して、コンテンツプロバイダ（２０）及びモバイルメディアルータ（１４）間で接続は開始される。工程（１０２）で示される通り、サービス利用権及び／又は認証情報は、接続を介してやりとりされる。サービス利用権及び／又は認証情報は、モバイルメディアルータ（１４）から第１のネットワーク（１８）及び／又はコンテンツプロバイダ（２０）へ伝送され、モバイルメディアルータ（１４）がマルチメディアデータを受信することを可能にする。ユーザ入力はモバイルメディアルータ（１４）がマルチメディアデータを第１のネットワーク（１８）及び／又はコンテンツプロバイダ（２０）から入手するよう指示する。好適な実施形態において、第１のネットワーク（１８）はワイヤレス広域ネットワークである。マルチメディアデータは工程（１０３）で示される通り、接続を介してモバイルメディアルータ（１４）へ送信される。ユーザはルーティング情報、ルーティング指示及び／又はその同等物を入力する。レンダリングデバイス（３０）は、工程（１０４）に示される通り、性能情報をモバイルメディアルータ（１４）とやりとりし、コンテンツフォーマット、音声及び映像コーデック、コンテンツ符号化パラメータ及び／又はレンダリングデバイス（３０）にサポートされる同様の性能を決定する。
【００５９】
マルチメディアデータは工程（１０５）に示される通り処理される。モバイルメディアルータ（１４）はマルチメディアデータの翻訳、再フォーマット及び／又は再パッケージを行って、レンダリングデバイス上のマルチメディアの利用が可能な形態にする。モバイルメディアルータ（１４）はマルチメディアデータのネットワークプロトコル、メディア及びパケットフォーマット及び／又はデジタル著作権管理(DRM)システムを別のコードに変換する。別のコードに変換されたマルチメディアデータは工程（１０６）に図示される通り、モバイルメディアルータ（１４）からレンダリングデバイス（３０）へ第２のネットワーク（２８）を経由して伝送される。好適な実施形態において、第２のネットワーク（２８）はワイヤレスローカルエリアネットワークである。モバイルメディアルータ（１４）はマルチメディアデータを第１のフォーマットで受信すると共に、マルチメディアデータをレンダリングデバイス（３０）へ第２のフォーマットで伝送する。第１のフォーマットは第２のフォーマットと異なる。第１のフォーマット及び／又は第２のフォーマットはモバイルメディアルータ（１４）及び／又はレンダリングデバイス（３０）の要求及び／又は能力に夫々基づく及び／又は対応する。
【００６０】
モバイルメディアルータ（１４）へのユーザ入力は、工程（１０７）に図示される通りマルチメディアの利用を制御する。例えば、ユーザは新たなコンテンツを選択し、放送チャンネルを変え、視聴を終了し、及び／又はマルチメディアコンテンツの利用に影響するその他の変化を起こす。レンダリングデバイス（３０）は適切な信号をモバイルメディアルータ（１４）へ接続を介して送信し、ユーザ入力をモバイルメディアルータ（１４）へ伝送する。モバイルメディアルータ（１４）は、マルチメディアを調整、処理及び／又は変換することによってユーザ入力に反応し、ユーザ入力のコマンドを実行する。入力によってコンテンツは、後にフォーマット及び／又はレンダリングデバイス（３０）に伝送するためにモバイルメディアルータ（１４）上に記録されることが可能になる。入力によってコンテンツはレンダリングデバイス（３０）上に保存されることが可能になる。したがって、コンテンツは、後にレンダリングデバイス（３０）上で視聴されるためにモバイルメディアルータ（１４）及び／又はレンダリングデバイス（３０）上のローカルストレージ（３８）に入れられる。
【００６１】
図３は本発明の実施形態におけるモバイルメディアルータの使用方法（２００）を一般的に説明する。工程（２０１）で示される通り、第２のネットワーク（２８）を経由して、ローカルデバイス（２２０）及びモバイルメディアルータ（１４）間で接続は開始される。工程（２０２）で示される通り、マルチメディアデータはモバイルメディアルータ（１４）に接続を介して送信される。好適な実施形態において、第２のネットワーク（２８）はワイヤレスローカルエリアネットワークである。ユーザはルーティング情報、ルーティング指示及び／又はその同等物を入力する。マルチメディアデータは工程（２０３）で示される通り処理される。モバイルメディアルータ（１４）は、マルチメディアデータの翻訳、再フォーマット及び／又は再パッケージを行って、レンダリングデバイス上のマルチメディアの利用が可能な形態にする。モバイルメディアルータ（１４）はマルチメディアデータのネットワークプロトコル、メディア及びパケットフォーマット及び／又はデジタルデジタル著作権管理(DRM)システムを別のコードに変換する。工程（２０４）に図示される通り、別のコードに変換されたマルチメディアデータはモバイルメディアルータ（１４）から第１のネットワーク（１８）及び／又は遠隔デバイス（２３０）へ第１のネットワーク（１８）を経由して伝送される。好適な実施形態において、第１のネットワーク（１８）はワイヤレス広域ネットワークである。したがって、モバイルメディアルータ（１４）はマルチメディアデータを第１のフォーマットで受信すると共に、マルチメディアデータを第１のネットワーク（１８）へ第２のフォーマットで伝送する。第１のフォーマットは第２のフォーマットと異なる。第１のフォーマット及び／又は第２のフォーマットはモバイルメディアルータ（１４）及び／又は遠隔デバイス（２３０）の要求及び／又は能力に夫々基づく及び／又は対応する。
【００６２】
モバイルメディアルータ（１４）へのユーザ入力は、工程（２０５）に図示される通りマルチメディアの利用を制御する。例えば、ユーザはローカルデバイス（２２０）からのマルチメディアデータの伝送を制御し、及び／又はマルチメディアの利用に影響するその他の変化を起こす。レンダリングデバイス（３０）は適切な信号をモバイルメディアルータ（１４）へ接続を介して送信し、ユーザ入力をモバイルメディアルータ（１４）へ伝送する。モバイルメディアルータ（１４）は、マルチメディアを調整、処理及び／又は変換することによってユーザ入力に反応し、ユーザ入力のコマンドを実行する。入力によってコンテンツは、後にフォーマット及び／又は遠隔デバイス（２３０）に伝送するためにモバイルメディアルータ（１４）上に記録されることが可能になる。入力によってコンテンツは遠隔デバイス（２３０）上に保存されることが可能になる。したがって、コンテンツは、後にレンダリングデバイス（３０）上で視聴されるためにモバイルメディアルータ（１４）及び／又は遠隔デバイス（２３０）上のローカルストレージ（３８）に入れられる。
【００６３】
本明細書に記載された現在の好適な実施形態への様々な変更及び変形は、当然のことながら当業者にとって明らかである。このような変更及び変形は本発明の精神及び範囲から逸脱することなく、また付随するその利点を損なうことなくなされる。したがって、このような変更及び変形は添付の請求項の範囲内に及ぶことが意図されている。
【図１】
0005411139.tif 000002
【図２】
0005411139.tif 000003
【図３】
0005411139.tif 000004